(57)【要約】【課題】導光板の入射面の両端から連続する第１、第２側面側の色むらを抑制できるバックライト装置を提供する。【解決手段】入射面と、入射面の両端から連続する第１側面および第２側面とを含む導光板と、入射面に対向して配置され、入射面に向かって緑色の光を発する緑色発光体と、入射面に対向して配置され、入射面に向かって赤色の光を発する赤色発光体と、入射面の両端のうちの少なくとも一端側に配置され、導光板に向かって白色の光を発する白色発光体とを備え、緑色発光体又は赤色発光体の少なくとも一方は、発光ピーク波長が４２０〜５００ｎｍである青色成分を含む。【選択図】図１
2016072076.tif 000002
【特許請求の範囲】
【請求項１】
入射面と、前記入射面の両端から連続する第１側面および第２側面とを含む導光板と、
前記入射面に対向して配置され、前記入射面に向かって緑色の光を発する緑色発光体と、
前記入射面に対向して配置され、前記入射面に向かって赤色の光を発する赤色発光体と、
前記入射面の両端のうちの少なくとも一端側に配置され、前記導光板に向かって白色の光を発する白色発光体とを備え、
前記緑色発光体又は前記赤色発光体の少なくとも一方は、発光ピーク波長が４２０〜５００ｎｍである青色成分を含むバックライト装置。
【請求項２】
前記白色発光体は前記入射面に対向して配置される請求項１に記載のバックライト装置。
【請求項３】
前記緑色発光体又は前記赤色発光体のうちの少なくとも一方は、青色発光素子を有する請求項１または２に記載のバックライト装置。
【請求項４】
前記入射面に対向して配置される前記緑色発光体、前記赤色発光体又は前記白色発光体の間の間隔は、１．３ｍｍ〜３．５ｍｍである請求項１から３の何れか１つに記載のバックライト装置。
【請求項５】
前記白色発光体は、前記第１側面または前記第２側面に対向して配置される請求項１に記載のバックライト装置。
【請求項６】
前記緑色発光体は、βサイアロン系蛍光体、クロロシリケート系蛍光体およびＬＡＧ系蛍光体から選択される少なくとも一つの緑色蛍光体を含む請求項１から４の何れか一つに記載のバックライト装置。
【請求項７】
前記赤色発光体は、ＣＡＳＮ系蛍光体、ＳＣＡＳＮ系蛍光体およびＫＳＦ蛍光体から選択される少なくとも一つの赤色蛍光体を含む請求項１から５の何れか一つに記載のバックライト装置。
【請求項８】
前記緑色発光体又は前記赤色発光体のうち少なくとも一方は、紫外発光素子を有する請求項１に記載のバックライト装置。
【発明の詳細な説明】
【技術分野】
【０００１】
本発明の実施形態は、バックライト装置に関する。
【背景技術】
【０００２】
従来、バックライト装置としては、ＷＯ２０１１／１２５３５６号公報（特許文献１）に記載されたものがある。
【先行技術文献】
【特許文献】
【０００３】
【特許文献１】ＷＯ２０１１／１２５３５６号公報
【発明の概要】
【発明が解決しようとする課題】
【０００４】
従来のバックライト装置では、互いに対向する第１側面および第２側面を含む導光板を有し、第１側面に最も近い位置に、第１発光体が配置され、第２側面に最も近い位置に、第２発光体が配置されている。
すると、導光板の第１、第２側面側では、第１発光体と第２発光体の光が混色されず、各発光体の単独光が照射される領域が存在することになる。つまり、第１側面側から出射される光は、導光板の中央部の混色光を発する領域と異なる光が出射される。
【０００５】
同様に、導光板の第２側面側から出射される光においても、混色光とならず、導光板の中央部の領域と異なる光が出射される。
【０００６】
したがって、従来のバックライト装置では、導光板の出射面において、第１、第２側面側で色むらが発生する。
【０００７】
そこで、本発明の実施形態に係る課題は、導光板の入射面の両端から連続する第１、第２側面側の色むらを抑制できるバックライト装置を提供することにある。
【課題を解決するための手段】
【０００８】
上記課題を解決するため、本発明の実施形態に係るバックライト装置は、
入射面と、入射面の両端から連続する第１側面および第２側面とを含む導光板と、
入射面に対向して配置され、入射面に向かって緑色の光を発する緑色発光体と、
入射面に対向して配置され、入射面に向かって赤色の光を発する赤色発光体と、
入射面の両端のうちの少なくとも一端側に配置され、導光板に向かって白色の光を発する白色発光体とを備え、
緑色発光体又は赤色発光体の少なくとも一方は、発光ピーク波長が４２０〜５００ｎｍである青色成分を含む。
【発明の効果】
【０００９】
本発明の実施形態に係るバックライト装置によれば、導光板の入射面の両端から連続する第１、第２側面側の色むらを抑制できる。
【図面の簡単な説明】
【００１０】
【図１】本発明の第１実施形態に係るバックライト装置を示す概略平面図である。
【図２】図１のＡ−Ａ断面図である。
【図３Ａ】本発明の一実施形態に係るバックライト装置の緑色発光体の発光面側から見た概略正面図である。
【図３Ｂ】図３ＡのＡ−Ａ断面図である。
【図４】赤色成分と青色成分が含まれている発光スペクトルを示す図である。
【図５Ａ】本発明の第１実施形態に係るバックライト装置の他の形態の緑色発光体の斜視図である。
【図５Ｂ】図５ＡのＢ−Ｂ断面図である。
【図６】本発明の第１実施形態に係るバックライト装置の別の形態の緑色発光体の断面図である。
【図７】本発明の一実施形態に係るバックライト装置の作用を説明する上方から見た説明図である。
【図８】本発明の第２実施形態に係るバックライト装置を示す概略平面図である。
【図９】本発明の第３実施形態に係るバックライト装置を示す概略平面図である。
【図１０】本発明の第４実施形態に係るバックライト装置を示す概略平面図である。
【発明を実施するための形態】
【００１１】
以下、本発明を図１〜図１０を参照して詳細に説明する。
【００１２】
（第１実施形態）
図１は、本発明の第１実施形態に係るバックライト装置を示す概略平面図である。図２は、図１のＡ−Ａ断面図である。図１と図２に示すように、バックライト装置１は、ケース２と、ケース２内に配置された導光板３と、ケース２内に配置されると共に導光板３に向かって光を発する緑色発光体５、赤色発光体６および白色発光体７とを有する。バックライト装置１は、緑色発光体５、赤色発光体６および白色発光体７からの光を、導光板３を介して液晶パネル１０に照射する。
【００１３】
この実施形態におけるバックライト装置１は、例えばスマートフォンやタブレットなどの携帯端末機器や、テレビやコンピュータなどの電子機器に用いることができる。
【００１４】
ケース２は、互いに対向する第１側壁２１および第２側壁２２と、互いに対向する第３側壁２３および第４側壁２４とを有する。各側壁は、第１側壁２１、第３側壁２３、第２側壁２２、第４側壁２４と、順に、環状に接続されている。第１側壁２１の内面の色と、第２側壁２２の内面の色とは、白色に形成されている。
【００１５】
導光板３は、第１側面３１と第２側面３２と出射面３３と入射面３５とを有する。導光板３は、平面視において略矩形の板部材からなる。出射面３３は、板部材の表面に設けられている。入射面３５は、板部材の１つの側面に設けられている。第１側面３１は、入射面３５の第１端から連続する板部材の１つの側面に設けられている。第２側面３２は、入射面３５の第２端から連続する板部材の１つの側面に設けられている。導光板３は、第１側面３１が第１側壁２１に対向し、かつ、第２側面３２が第２側壁２２に対向し、入射面３５が第３側壁２３に対向するように、ケース２内に配置される。
【００１６】
図１では、緑色発光体５および赤色発光体６は、それぞれ複数ある。緑色発光体５と赤色発光体６とは、入射面３５に沿って、交互に配列されている（必ずしも交互に配列される必要は無く、例えば隣接する発光体が同一の発光体であってもよい）。緑色発光体５は入射面３５に向かって緑色の光を発し、赤色発光体６は、入射面３５に向かって赤色の光を発する。このとき、緑色発光体５及び赤色発光体６の出射光の光軸は入射面３５に対して略垂直である。また、緑色発光体５又は赤色発光体６の内少なくとも一方は、発光ピーク波長が４２０〜５００ｎｍである青色のスペクトル（以下、青色成分）を含んでいる。以降、緑色発光体５及び赤色発光体６に青色成分が含まれた形態で説明するが、これに限らず緑色発光体５又は赤色発光体６の内少なくとも一方に青色成分が含まれていれば良い。
【００１７】
白色発光体７は、入射面３５の両端のうちの少なくとも一端側に配置される。白色発光体７の発光面７ａは、導光板３に対向して配置され、導光板３に向かって白色の光を発する。好ましくは、白色発光体７の発光面７ａは、入射面３５に対向して配置され、入射面３５に向かって白色の光を発する。また、白色発光体７は、図１に示すように、入射面３５の両端に配置されることが好ましい。つまり、２つの白色発光体７は、入射面３５の両端に位置して、全ての緑色発光体５および赤色発光体６を挟む。なお、緑色発光体５と赤色発光体６との間に、さらなる白色発光体７を配置してもよい。また、白色発光体７の出射光の光軸は導光板３に対して略垂直であり、好ましくは入射面３５に対して略垂直である。
【００１８】
図７は、バックライト装置１の作用を説明する説明図である。
【００１９】
図７では、緑色発光体５、赤色発光体６、及び白色発光体７は、入射面３５に向かって光を発する。緑色発光体５からの光（図中点線の矢印）、赤色発光体６からの光（図中実線の矢印）、及び白色発光体７からの光（図中一点鎖線の矢印）は、所定の指向角を有する。
【００２０】
緑色発光体５からの光と赤色発光体６からの光とは、導光板３内で混色される。緑色発光体５から発せられる緑色の光、および、赤色発光体６から発せられる赤色の光は、青色成分を含むため、緑色発光体５からの光と赤色発光体６からの光は、混色されて白色の光となる。
【００２１】
第１側面３１側にある白色発光体７から出射された光の一部は、第１側面３１からケース２の第１側壁２１の内面に向かって進む。第１側壁２１の内面の色は、白色であるため、第１側壁２１で反射された光の色は、白色発光体７から出射された光の色、つまり、白色のままとなる。第１側壁２１で反射された光は、再度、第１側面３１から導光板３内に入射される。すると、導光板３の第１側面３１側の第１領域Ｚ１では、白色の光となる。また、白色発光体７から出射された光の一部は、直接に、導光板３の裏面３４に配置される反射シート８に当たって、第１領域Ｚ１から出射される。このときも、第１領域Ｚ１では、白色の光が出射される。
【００２２】
同様に、第２側面３２側にある白色発光体７から出射された光により、導光板３の第２側面３２側の第２領域Ｚ２においても、白色の光となる。
【００２３】
したがって、導光板３の入射面３５の両端から連続する第１、第２側面３１，３２側の色むらを抑制できる。
【００２４】
ここで、白色発光体７の光の指向角が、大きくなるほど、第１、第２領域Ｚ１，Ｚ２を、導光板３の入射面３５に近づくように広げることができるので、色むらを抑制することが出来て好ましい。
【００２５】
また、白色発光体７の光の指向角は、緑色発光体５および赤色発光体６の光の指向角よりも、大きいか、同等であることが好ましい。こうすることで、例えば第１側面３１側に位置する緑色発光体５または赤色発光体６から第１側壁２１に向かう光を、導光板３の第１側面３１側で、第１側面３１側に位置する白色発光体７から出射する白色の光に、混色させることができ、導光板３の第１側面３１側の色むらを確実に抑制できる。また、第２側面３２側についでも同様である。
【００２６】
以下、本実施形態に係るバックライト装置１の好ましい形態について説明する。
【００２７】
（ケース２）
ケース２は、例えば、樹脂から構成される。図１と図２に示すように、ケース２は、底壁２０と、底壁２０の上面の周囲に一体に設けられた第１側壁２１、第２側壁２２、第３側壁２３、そして第４側壁２４とを有する。底壁２０は、平面視において略矩形状に形成されている。図１中、第１側壁２１は、右側に配置され、第２側壁２２は、左側に配置され、第３側壁２３は、下側に配置され、第４側壁２４は、上側に配置されている。第１から第４側壁２１〜２４は、環状に繋がっている。
【００２８】
（導光板３）
導光板３は、例えば、アクリル樹脂やポリカーボネート樹脂から構成される。導光板３は、平面視において略矩形状に形成されている。出射面３３は、導光板３の上面に設けられ、裏面３４は、導光板３の出射面３３と反対側の面に設けられている。入射面３５は、平面視において導光板３の矩形の第１の短辺に設けられている。第１側面３１は、導光板３の矩形の第１の長辺に設けられている。第２側面３２は、導光板３の矩形の第２の長辺に設けられている。なお、入射面３５が長辺であって、第１、第２側面３１，３２が短辺であってもよい。
【００２９】
（緑色発光体５、赤色発光体６、白色発光体７）
図１では、緑色発光体５および赤色発光体６は、それぞれ３つ（３つより多くても良いし、少なくてもよい）あり、緑色発光体５と赤色発光体６とは、入射面３５に沿って、交互に配列されている（必ずしも交互に配列される必要は無く、例えば隣接する発光体が同一の発光体であってもよい）。図１では、第１側面３１に近い位置には、緑色発光体５が配置され、第２側面３２に近い位置には、赤色発光体６が配置されている。緑色発光体５の発光面５ａと赤色発光体６の発光面６ａとは、入射面３５に対向している。なお、第１側面３１に近い位置に赤色発光体６を配置し、第２側面３２に近い位置に緑色発光体５を配置してもよい。２つの緑色発光体５が隣接していてもよく、２つの赤色発光体６が隣接していてもよい。
【００３０】
図１では、白色発光体７は、２つ（２つより多くても良いし、少なくてもよい）配置されており、２つの白色発光体７で、３つの緑色発光体５と３つの赤色発光体６とを挟む。つまり、第１側面３１に最も近い位置に、一方の白色発光体７が配置され、第２側面３２に最も近い位置に、他方の白色発光体７が配置されている。
【００３１】
緑色発光体５、赤色発光体６および白色発光体７は、互いに間隔ｔをあけて、入射面３５に沿って配置され、この間隔ｔは、好ましくは、１．３ｍｍ〜３．５ｍｍである。具体的には、緑色発光体５、赤色発光体６および白色発光体７の隣り合う発光体の間隔ｔは、例えば入射面３５と対向する発光体の幅が１．５〜２．０ｍｍである場合、１．３ｍｍ〜３．５ｍｍであることが好ましい。このような配置にすることで、隣接する発光体から出射される光を効率良く混色させることができ、色むらの少ないバックライト装置１とすることが出来る。
【００３２】
なお、緑色発光体５、赤色発光体６、及び白色発光体７の数は、緑色発光体５、赤色発光体６、及び白色発光体７の発光強度比を考慮して選定される。緑色発光体５、赤色発光体６、及び白色発光体７の詳細な構成については後で述べる。
【００３３】
（基板９）
緑色発光体５、赤色発光体６、及び白色発光体７は、基板９の上面９ａに搭載される。基板９は、絶縁性樹脂からなる基板に導体配線が印刷された通常のプリント基板やフレキシブル基板を好適に利用することができる。例えば、銅箔などからなる導電性パターンが施されたガラスエポキシ基板や絶縁性樹脂で結合された金属体などによって好適に形成することができる。あるいは、アルミニウムや銅からなる金属材料に絶縁性材料を介して導体配線が施された放熱性が高い基板とすることができる。特に、フレキシブル基板は、屈曲された金属フレームの表面や金属フレームに形成された貫通孔や切り欠きに沿って柔軟に配置することができ、バックライトユニットを組み立て易いので、より好ましい。緑色発光体５、赤色発光体６、及び白色発光体７は、基板９の上面９ａの配線に電気的に接続される。
【００３４】
基板９は、平面視において長辺と短辺を含む矩形状に形成されている。基板９の長辺は、導光板３の入射面３５と略同じ長さに形成されている。図２で示すように、基板９は、導光板３の裏面３４とケース２の底壁２０の上面との間に配置されている。つまり、基板９は、導光板３に対して、導光板３の入射面３５側の端部に、重なっている。
【００３５】
（反射シート８）
図２で示すように、導光板３の裏面３４とケース２の底壁２０の上面との間には、反射シート８が配置されている。反射シート８は、導光板３の入射面３５側の端部を除く略全ての領域に、重なっている。つまり、反射シート８は基板９と重ならない。反射シート８は、導光板３の裏面３４から漏れ出る光を、導光板３に向けて反射させる。また、導光板３の出射面３３に対向して、液晶パネル１０が配置される。液晶パネル１０と出射面３３との間には、拡散シートやプリズムシート、偏光シートなどの光学シートが配置されている。導光板３の出射面３３から出射された光は、光学シートを通って液晶パネル１０を照射する。
【００３６】
（緑色発光体５）
図３Ａは、緑色発光体５の発光面５ａ側から見た概略正面図である。図３Ｂは、図３ＡのＡ−Ａ断面図である。図３Ａと図３Ｂに示すように、緑色発光体５は、少なくともパッケージ５０と発光素子５１と封止樹脂５２と緑色蛍光体５３とを有する。緑色発光体５は、ＣＩＥ色度図において例えば（０＜ｘ＜０．４かつ０．０５＜ｙ＜０．９）を満たす緑色の光を発し、好ましくは（０．１＜ｘ＜０．３かつ０．４＜ｙ＜０．６）を満たす光を発する。
【００３７】
パッケージ５０は、凹部５０ａを有する。凹部５０ａの底には、リードフレーム５４が配置されている。パッケージ５０とリードフレーム５４とは、一体に成型されている。パッケージ５０は、例えば、ＰＰＡ（ポリフタルアミド）、ＰＰＳ（ポリフェニレンサルファイド）、液晶ポリマー、またはナイロンなどの熱可塑性樹脂や、エポキシ樹脂、シリコーン樹脂、変性エポキシ樹脂、変性シリコーン樹脂、不飽和ポリエステル樹脂、ウレタン樹脂、またはアクリレート樹脂などの熱硬化性樹脂を用いることができるほか、ガラスエポキシ樹脂、セラミックス、ガラスなどを用いることができる。なお、セラミックスとしては、特に、アルミナ、窒化アルミニウム、ムライト、炭化ケイ素あるいは窒化ケイ素などを用いることが好ましい。リードフレーム５４は、鉄、銅、鉄入り銅、錫入り銅及び銅、金、銀をメッキしたアルミニウム、鉄、銅等の金属から構成される。
【００３８】
パッケージ５０から出射される光の指向角度は、凹部５０aの内側壁の角度を調整したり、後述する封止樹脂５２または別部材によってレンズを形成し、レンズの形状を任意のものにすることで調整することが出来る。
【００３９】
また、緑色発光体５又は後述する赤色発光体６のどちらか一方は青色成分を含む。例えば、図４に、赤色成分と青色成分が含まれている発光スペクトルを示す。ここで言う青色成分とは、後述する青色発光素子を備えていてもよいし、別の形態では励起した時に青色の光を発する青色蛍光体と青色蛍光体を励起可能な発光素子（例えば紫外発光素子）を含んでいてもよい。
【００４０】
発光素子５１は、パッケージ５０の凹部５０ａ内に配置されている。発光素子５１は、リードフレーム５４上に取り付けられている。発光素子５１は、ワイヤ５５を介して、リードフレーム５４に電気的に接続される。発光素子５１は、青色の光を発する青色発光素子である。青色発光素子としては、例えば、窒化物半導体（ＩｎｘＡｌｙＧａ１−ｘ−ｙＮ、０≦ｘ、０≦ｙ、ｘ＋ｙ≦１）系の発光素子が好ましい。また、青色発光素子として、発光ピーク波長が４２０〜５００ｎｍである発光素子を用いることが好ましい。なお、発光素子５１としては、青色発光素子以外に、紫外発光素子であってもよい。紫外発光素子を用いる場合は、発光ピーク波長が２００〜４２０ｎｍ未満、２５０〜３８０ｎｍの紫外発光素子を用いることで赤色蛍光体、青色蛍光体、緑色蛍光体の蛍光体を効率良く励起することができ、各々の光を混色して白色の光を出射することが出来る。
【００４１】
封止樹脂５２は、パッケージ５０の凹部５０ａ内に配置され、発光素子５１を封止している。封止樹脂５２は、透光性を有する樹脂から構成されている。透光性を有する樹脂としては、例えば、シリコーン樹脂、エポキシ樹脂、ユリア樹脂、フッ素樹脂、及び、それらの樹脂を少なくとも一種以上含むハイブリッド樹脂等の耐候性に優れた樹脂が挙げられる。また、樹脂以外にも、ガラス、シリカなどの耐光性に優れた無機物を用いることもできる。封止樹脂５２は、所定の機能を持たせるため、フィラー、拡散剤、顔料、蛍光物質、反射性物質からなる群から選択される少なくとも１種を混合することもできる。封止部材中には拡散剤を含有させてもよい。具体的な拡散剤としては、チタン酸バリウム、酸化チタン、酸化アルミニウム、酸化珪素等を好適に用いることができる。また、所望外の波長をカットする目的で有機や無機の着色染料や着色顔料を含有させることができる。さらに、封止部材は、発光素子５１からの光を吸収し、波長変換する蛍光物質を含有させることもできる。
【００４２】
緑色蛍光体５３は、粒状の蛍光体であり、封止樹脂５２内に含まれる。緑色蛍光体５３は、発光素子５１が発する光の少なくとも一部により励起されて、緑色の光を発する。緑色蛍光体５３は、例えばＣａ８ＭｇＳｉ４Ｏ１６Ｃｌ２：Ｅｕのようなクロロシリケート系蛍光体、Ｓｉ６−ＺＡｌＺＯＺＮ８−Ｚ：Ｅｕのようなβサイアロン系蛍光体、およびルテチウム、アルミニウムおよびガーネットを混合したＬＡＧ系蛍光体（黄色蛍光物質）から選択される少なくとも一つの蛍光体を用いることができる。他の蛍光体として、Ｅｕ，Ｃｅ等のランタノイド系元素で主に賦活される、酸窒化物系蛍光体を用いることもできる。
【００４３】
また、図５Ａと図５Ｂで示すように、他の実施形態の緑色発光体５Ａは、図３Ａと図３Ｂで示す凹部５０ａを有しない。緑色発光体５Ａは、絶縁体２０２および外部接続端子２０４ａ，２０４ｂからなる基体２２０と、その基体２２０に載置された発光素子５１と、発光素子５１の側壁を被覆する遮光性部材２０６と、発光素子５１の発光面を少なくとも被覆する蛍光体層２０８とを備える。発光素子５１は、発光素子５１の電極２１４ａ，２１４ｂを介して、外部接続端子２０４ａ，２０４ｂに電気的に接続される。
【００４４】
このような緑色発光体５Ａは、図３Ａと図３Ｂで示す凹部５０ａを有しないことにより、発光素子５１の幅（図５Ａで示すＹ方向の幅）を緑色発光体５Ａの幅（図５Ａで示すＹ方向の幅）に近づけることが出来る。したがって、緑色発光体５Ａの発光素子５１を、凹部５０ａを有する緑色発光体５の発光素子５１と比べて、大きくすることが出来るので、光束をさらに向上させた緑色発光体５Ａとすることが出来る。
【００４５】
また、図６に、別の実施形態の緑色発光体５Ｂを示す。緑色発光体５Ｂは、図５Ａと図５Ｂに示す緑色発光体５Ａと比べて、発光素子５１を複数備えていること、２つの絶縁体２０２，２０２の間に金属体２４２を形成していることが相違する。１つの緑色発光体５Ｂに複数の発光素子５１を備えることで、緑色発光体５Ｂの幅（図６で示すＸ方向の幅）を小さくすることができ、緑色発光体５Ｂを載置する領域をコンパクトにすることが出来る。また、金属体２４２を２つの絶縁体２０２，２０２の間に形成することで、発光素子５１からの熱を金属体２４２を介して外部に放熱することが出来る。
【００４６】
これらの緑色発光体５Ａ及び５Ｂは、発光素子５１に合わせて緑色発光体５Ｂの幅（図５Ｂ、６で示すＹ方向の幅）を小さくすることが出来るので、薄型のバックライト装置に適している。
【００４７】
（赤色発光体６）
赤色発光体６は、少なくともパッケージと発光素子と封止樹脂と赤色蛍光体とを有する。パッケージ、発光素子及び封止樹脂は、緑色発光体５と同じ部材、同じ構成とすることが出来る。赤色発光体６は、ＣＩＥ色度図において例えば（０．３＜ｘ＜０．７かつ０．１＜ｙ＜０．４）を満たす赤色の光を発し、好ましくは（０．４＜ｘ＜０．６かつ０．１＜ｙ＜０．３）を満たす光を発する。
【００４８】
赤色蛍光体は、粒状の蛍光体であり封止樹脂内に含まれる。赤色蛍光体は、発光素子が発する光の少なくとも一部により励起されて、赤色の光を発する。赤色蛍光体は、例えば、（Ｓｒ，Ｃａ）ＡｌＳｉＮ３：ＥｕのようなＳＣＡＳＮ系蛍光体、ＣａＡｌＳｉＮ３：ＥｕのようなＣＡＳＮ系蛍光体、Ｃａ２Ｓｉ５Ｎ８：Ｅｕ、ＳｒＡｌＳｉＮ３：Ｅｕ、Ｅｕ賦活されたαサイアロン系蛍光体、およびＫ２ＳｉＦ６：Ｍｎから選択される少なくとも一つの蛍光体を用いることができる。さらに、前記した蛍光体以外の蛍光体であって、同様の性能、作用、効果を有する蛍光体も使用することができる。その他、Ｅｕ賦活されたシリケート系蛍光体などであってもよい。
【００４９】
（白色発光体７）
白色発光体７は、少なくともパッケージと発光素子と封止樹脂と蛍光体とを有する。パッケージ、発光素子、封止樹脂は、緑色発光体５と同じ部材、同じ構成とすることが出来る。白色発光体７は、ＣＩＥ色度図において例えば（０．２＜ｘ＜０．５かつ０．２＜ｙ＜０．４５）を満たす白色の光を発し、好ましくは（０．２５＜ｘ＜０．４５かつ０．２５＜ｙ＜０．４）を満たす光を発する。なお、蛍光体として、例えば、ＹＡＧ蛍光体や前述の緑色蛍光体および赤色蛍光体の組み合わせであってもよい。
【００５０】
緑色発光体、赤色発光体又は白色発光体の少なくとも１つの発光素子に紫外発光素子を用いる場合、緑色発光体、赤色発光体又は白色発光体の少なくとも１つのパッケージ内に青色蛍光体を備えてもよい。この場合の青色蛍光体としては、発光のピーク波長が４３０〜４６０ｎｍの範囲の蛍光体が用いられ、特に式（１）で表される組成を有するユーロピウム付活クロロ燐酸塩蛍光体を使用することが好ましい。
一般式：（Ｓｒ1-x-y-zＢａxＣａyＥｕz）5（ＰＯ4）3・Ｃｌ …（１）
（式中、ｘ、ｙ、及びｚは０≦ｘ＜０．５、０≦ｙ＜０．１、０．００５＜ｚ＜０．１を満足する数である）
式（１）で表される組成を有する青色蛍光体は発光効率に優れた青色光を得ることができる。
【００５１】
上記各種蛍光体（緑色、赤色及び青色）は、量子ドットであってもよい。量子ドットは、長径１ｎｍ〜１００ｎｍ程度の粒子であり、離散的なエネルギー準位を有している。量子ドットのエネルギー状態はその大きさに依存するので、サイズを変えることにより自由に発光波長を選択することが可能となる。また、量子ドットの発光光はスペクトル幅が狭い。このような急峻なピークの光を組み合わせることにより色域が拡大する。従って、各種蛍光体として量子ドットを用いることにより、容易に色域を拡大することが可能となる。更に、量子ドットは応答性が高く、発光素子の光を効率良く利用することが可能となる。加えて、量子ドットは安定性も高い。量子ドットは、例えば、１２族元素と１６族元素との化合物、１３族元素と１６族元素との化合物あるいは１４族元素と１６族元素との化合物であり、例えば、ＣｄＳｅ，ＣｄＴｅ，ＺｎＳ，ＣｄＳ，ＰｂＳ，ＰｂＳｅまたはＣｄＨｇＴｅ等である。量子ナノ材料として、量子ドットの他に量子ロッド等も用いることが出来る。
【００５２】
次に、バックライト装置１の作用について説明する。
【００５３】
図７に示すように、３つの緑色発光体５および３つの赤色発光体６は、導光板３の入射面３５に向かって光を発する。緑色発光体５および赤色発光体６から出射された光は、所定の指向角をもって、導光板３の入射面３５の反対側に向かって導光板３内を伝わる。すると、緑色発光体５からの光と赤色発光体６からの光とは、導光板３内で混色され、白色の光となる。導光板３内の白色の光は、導光板３の出射面３３から出射される。なお、導光板３内の白色の光は、導光板３の裏面３４と、裏面３４に対向する反射シート８により反射されて、出射面３３から出射される。
【００５４】
図７では、白色発光体７は、入射面３５に向かって光を発する。前述したように、白色発光体７からの光の一部は、第１側壁２１及び第２側壁２２で反射され、白色の光のまま、再度、導光板３内に入射され、第１、第２領域Ｚ１，Ｚ２から白色の光が出射される。また、白色発光体７から出射される別の光の一部は、直接に、反射シート８に当たって、第１、第２領域Ｚ１，Ｚ２から出射され、このときも、第１、第２領域Ｚ１，Ｚ２では、白色の光が出射される。これにより、出射面３３において、第１、第２領域Ｚ１，Ｚ２の色むらを抑制することが出来る。
【００５５】
その後、図２に示すように、導光板３の出射面３３から出射された光は、拡散シートやプリズムシート、偏光シートなどの光学シートを介して、液晶パネル１０を照射する。
【００５６】
上記実施形態によれば、白色発光体７は、入射面３５の両端のうちの少なくとも一端側に配置されるので、例えば、白色発光体７が、第１側面３１に最も近い位置に配置されている場合、白色発光体７から出射され第１側面３１から漏れ出た光は、第１側壁２１の内面に当たって反射されても、白色の光のままで、第１側面３１から導光板３内に入射される。また、白色発光体７から出射された光の一部は、直接に、反射シート８に当たって、第１側面３１側から出射され、このときも、第１側面３１側では、白色の光が出射される。これにより、導光板３の第１側面３１側の色むらを抑制できる。例えば、白色発光体７が、第２側面３２に最も近い位置に配置されている場合、同様に、導光板３の第２側面３２側の色むらを抑制できる。
【００５７】
また、第１実施形態の変形例では、白色発光体７の光軸を入射面３５に対して傾斜角度ｘだけ外側に傾けてもよい。この場合、傾斜角度ｘは、例えば０°<ｘ≦３０°であり、好ましくは０°<ｘ≦２０°であり、さらに０°<ｘ≦１０°であることがより好ましい。このようにすることで、第１側面３１または第２側面３２の領域は、端部に配置される白色発光体７で直接照射されやすくなり、色むらの発生をより抑制できる。
【００５８】
さらに、別の変形例では、入射面の一端に配置された白色発光体７とそれに隣接する緑色発光体５又は赤色発光体６との間隔ｔ1は、隣り合う緑色発光体５と赤色発光体６との間隔ｔ２よりも大きくしてもよい。このような配置により、出射面３３の中央の領域では、入射面３５の中央に密に配置された緑色発光体５及び赤色発光体６の光の混色が促進されるとともに、出射面３３の第１側面３１側及び第２側面３２側の領域においては、白色発光体７の光の色が支配的となるので、出射面３３の色むらをより抑えることが出来る。
【００５９】
（第２実施形態）
図８は、本発明の第２実施形態に係るバックライト装置を示す概略平面図である。第２実施形態は、第１実施形態とは、導光板の形状が相違する。この相違する構成のみを以下に説明する。なお、第２実施形態において、第１実施形態と同一の符号は、第１実施形態と同じ構成であるため、その説明を省略する。
【００６０】
図８に示すように、第２実施形態のバックライト装置１Ａにおいて、導光板３Ａは、上面視において入射面３５に対して所定の傾斜角度αで傾斜する少なくとも１つの傾斜面３６を有する。この場合、傾斜面を入射面の一部として、入射面３５を第１入射面、傾斜面３６を第２入射面としてよい。傾斜面３６は、好ましくは、入射面３５の両端に設けられる。導光板３は、平面視において矩形から角部が切り取られた形状であり、入射面３５は、矩形の一辺に設けられ、傾斜面３６は、矩形の角の部分に設けられる。
【００６１】
白色発光体７は、入射面３５の両端のうちの少なくとも一端側の傾斜面３６に対向して配置されている。白色発光体７は、好ましくは、２つの傾斜面３６のそれぞれに配置されている。このような配置によって、白色発光体７の出射光の光軸を内側に傾けることができ、例えば一端側の傾斜面３６に対向して配置された白色発光体７は、他端側の側面（第１側面３１側の傾斜面３６に配置される白色発光体７の場合は第２側面３２）を照射しやすくなり、出射面３３の色むらをより抑えることができる。また、白色発光体７からの出射光を入射面３５の端部近傍に照射することができるので、色むらの発生しやすい入射面３５の端部近傍を白色発光体７により集中的に照射しやすくなり、入射面３５の端部近傍の色むらの発生を一層確実に防止できる。
【００６２】
なお、傾斜角度αは、白色発光体７からの出射光の指向角との関係で、決定される。つまり、傾斜角度αは、白色発光体７の出射光の光軸が内側に近づくように、決定される。白色発光体７からの出射光の指向角が、小さくなるほど、傾斜角度αは、小さくなる。
【００６３】
（第３実施形態）
図９は、本発明の第３実施形態に係るバックライト装置を示す概略平面図である。第３実施形態は、第２実施形態とは、導光板の傾斜面に配置される発光体の数量が相違する。この相違する構成のみを以下に説明する。なお、第３実施形態において、第２実施形態と同一の符号は、第２実施形態と同じ構成であるため、その説明を省略する。
【００６４】
図９に示すように、第３実施形態のバックライト装置１Ｂにおいて、導光板３Ａの少なくとも一方の傾斜面３６には、入射面３５側から順に、緑色発光体５または赤色発光体６と、白色発光体７とが配置される。具体的に述べると、一方（図中左側）の傾斜面３６には、入射面３５側から順に、緑色発光体５と白色発光体７とが配置され、他方（図中右側）の傾斜面３６には、入射面３５側から順に、赤色発光体６と白色発光体７とが配置される。
【００６５】
このように、一端側の傾斜面３６において、緑色発光体５からの光軸を内側に傾斜させることで、緑色発光体５からの出射光を赤色発光体６からの出射光と混色させて白色の光を発生しやすくなり、導光板３の第２側面３２側の色むらを一層確実に抑制できる。他方の傾斜面３６においても同様となり、導光板３の第１側面３１側の色むらを一層確実に抑制できる。
【００６６】
さらに、第２実施形態で説明したように、一端側の傾斜面３６に対向して配置された白色発光体７は、他端側の側面（第１側面３１側の傾斜面３６に配置される白色発光体７の場合は第２側面３２）を照射しやすくなり、出射面３３の色むらをより抑えることができる。また、白色発光体７からの出射光を入射面３５の端部近傍に照射することができるので、色むらの発生しやすい入射面３５の端部近傍を白色発光体７により集中的に照射しやすくなり、入射面３５の端部近傍の色むらの発生を一層確実に防止できる。
【００６７】
（第４実施形態）
図１０は、本発明の第４実施形態に係るバックライト装置を示す概略平面図である。第４実施形態は、第１実施形態とは、白色発光体７の配置が相違する。この相違する構成のみを以下に説明する。なお、第４実施形態において、第１実施形態と同一の符号は、第１実施形態と同じ構成であるため、その説明を省略する。
【００６８】
図１０に示すように、第４実施形態のバックライト装置１Ｃにおいて、白色発光体７は、入射面３５の両端のうちの少なくとも一端側の第１側面３１または第２側面３２に対向して配置されている。白色発光体７は、好ましくは、第１側面３１および第２側面３２のそれぞれに配置されている。第４実施形態に係るバックライト装置では、第２実施形態のように導光板に加工を施す必要がないので、確実に、かつ簡便に製造することが出来て好ましい。また、このような配置にすることで、一端側の傾斜面３６に対向して配置された白色発光体７は、他端側の側面（第１側面３１側の傾斜面３６に配置される白色発光体７の場合は第２側面３２）を照射しやすくなり、出射面３３の色むらをより抑えることができる。また、白色発光体７からの出射光を入射面３５の端部近傍に照射することができるので、色むらの発生しやすい入射面３５の端部近傍を白色発光体７により集中的に照射しやすくなり、入射面３５の端部近傍の色むらの発生を一層確実に防止できる。
【００６９】
なお、本発明は上述の実施形態に限定されず、本発明の要旨を逸脱しない範囲で設計変更可能である。
【００７０】
上記実施形態では、白色発光体の数量は、２つであったが、１つであってもよい。このとき、１つの白色発光体は、入射面の両端のうちの一端側に配置され、導光板の入射面の一端側の色むらを抑制することができる。白色発光体の数量は、３つ以上あってもよい。このとき、２つの白色発光体が、入射面の両端に位置して、全ての緑色発光体および赤色発光体を挟むように、配置されていればよく、残りの白色発光体は、緑色発光体と赤色発光体との間に、配置されていてもよい。
【００７１】
上記実施形態では、緑色発光体から発せられる光、および、赤色発光体から発せられる光のうちの両方に、青色成分を含めるようにしたが、緑色発光体からの光または赤色発光体からの光のうちの一方のみに、青色成分を含めるようにしてもよい。
【００７２】
上記実施形態では、緑色発光体を青色発光素子と緑色蛍光体とから構成し、かつ、赤色発光体を青色発光素子と赤色蛍光体とから構成したが、緑色発光体を緑色発光素子から構成し、かつ、赤色発光体を青色発光素子と赤色蛍光体とから構成してもよく、または、緑色発光体を青色発光素子と緑色蛍光体とから構成し、かつ、赤色発光体を赤色発光素子から構成してもよい。
【００７３】
上記実施形態では、緑色発光体および赤色発光体に用いられる発光素子を、青色発光素子または紫外発光素子としたが、青色成分を含む光を発する発光素子であれば如何なる発光素子であってもよい。
【００７４】
上記実施形態では、光学シートとしてさらに量子ナノ材料を使用した光学シートを備えていてもよい。量子ナノ材料を使用した光学シートとは、例えば緑色や赤色の発光スペクトルを持つリン系の量子ドットがポリマーの基盤内に拡散してフィルム状になったシートである。上記実施形態において、緑色発光体５及び赤色発光体６から出射される光の内、緑色成分又は赤色成分が不足している場合であっても、導光板３に上記の光学シートを設けることによって不足している緑色成分又は赤色成分を補完することが出来るので、混色光を白色光に近づけることが出来る。また上記では、緑色及び赤色の補色をする光学シートを示したが、これに限らず、例えば青色、その他の色、又はこれらの組み合わせの色を補色する光学シートを用いてもよい。
【符号の説明】
【００７５】
１，１Ａ，１Ｂ，１Ｃ  バックライト装置
２  ケース
２１  第１側壁
２２  第２側壁
３，３Ａ  導光板
３１  第１側面
３２  第２側面
３３  出射面
３５  入射面
３６  傾斜面
５  緑色発光体
５０  パッケージ
５１  発光素子
５２  封止樹脂
５３  緑色蛍光体
６  赤色発光体
６０  パッケージ
６１  発光素子
６２  封止樹脂
６３  赤色蛍光体
７  白色発光体
７０  パッケージ
７１  発光素子
７２  封止樹脂
７３  黄色蛍光体
８  反射シート
９  基板
９ａ  上面
１０  液晶パネル
ｔ  隣り合う発光体の間の間隔
【図１】
2016072076.tif 000003
【図２】
2016072076.tif 000004
【図３Ａ】
2016072076.tif 000005
【図３Ｂ】
2016072076.tif 000006
【図４】
2016072076.tif 000007
【図５Ａ】
2016072076.tif 000008
【図５Ｂ】
2016072076.tif 000009
【図６】
2016072076.tif 000010
【図７】
2016072076.tif 000011
【図８】
2016072076.tif 000012
【図９】
2016072076.tif 000013
【図１０】
2016072076.tif 000014